(57)【要約】【課題】  従来の鏡は基本的に顔の正面を見るものである。三面鏡では横顔の一部を見ることができる。しかしながら色んな角度の横顔、特に後頭部や頂上部は見ることが出来ない。【解決手段】  端部が固定された主鏡と、端部が固定された伸縮回転自在具により位置を変えることができる補助鏡とからなる二面鏡であって、前記補助鏡は凸面鏡を使用し、前記伸縮回転自在具は、フレキシブル主材、伸縮部材、調整アームから構成されている。【選択図】図１
2007195912.tif 000002
【特許請求の範囲】
【請求項１】
端部が固定された主鏡と、
端部が固定され、または端部が移動可能な連結具に支持され、前記連結具の伸縮回転により位置を変えることができる補助鏡と、からなる二面鏡であって、
前記補助鏡は、凸面鏡を利用して、自己の目配りが届かぬ体部の映像を主鏡と、前記主鏡と相対する補助鏡の間の反射により見ることができることを特徴とする二面鏡。
【請求項２】
前記連結具は、前記補助鏡の種類を交換できる機構を有することを特徴とする請求項１に記載の二面鏡。
【請求項３】
前記補助鏡は、片面は平面鏡、反対の面は凸面鏡との合わせ鏡であることを特徴とする請求項１に記載の二面鏡。
【請求項４】
前記端部が移動可能な連結具は、端部に強力吸着盤を装備することを特徴とする請求項１から３に記載の二面鏡。
【請求項５】
前記補助鏡にプラスチック、アルミ材等の軽量材料を使用することを特徴とする請求項１から４に記載の二面鏡。
【請求項６】
前記連結具は、フレキシブル主材、伸縮部材、調整アームから構成されていることを特徴とする請求項１から５に記載の二面鏡。
【請求項７】
前記連結具は、ユニバーサルジョイント付主材、伸縮部材が連結されている構造であることを特徴とする請求項１から５に記載の二面鏡。
【請求項８】
前記連結具は、フレキシブル材であることを特徴とする請求項１から５に記載の二面鏡。
【発明の詳細な説明】
【技術分野】
【０００１】  本発明は、顔の正面のみならず、側面や後頭部等を鏡で見るためのコンパクト便利な二面鏡に関している。
【背景技術】
【０００２】  従来の鏡は基本的に顔の正面を見るものである。
三面鏡では横顔の一部を見ることができる。しかしながら色んな角度の横顔、特に後頭部や頂上部は見ることが出来ない。【０００３】  近年老若男女を問わず頭髪を染色することが多くなってきている。
家庭に於いて自分で頭部染色をする場合、正面側の鏡では後頭部及び頭頂部は見えないため、染色出来てない部分があっても分らない等の問題があろ。手鏡を使って後頭部、側頭、上頭等を見ることができるが手が疲れる。
また、手が塞がるので不便である。【０００４】  そこで、竿に竿筒を差込、竿筒には枠をネジで止め、枠には鏡をネジで止める、竿は台座に差込、固定用のクリップを設けた物が提案されている。（例えば、特許文献１参照）【０００５】
【特許文献１】  特開平１０−０８５１０１号公報
【発明の開示】
【発明が解決しようとする課題】
【０００６】  従来例では、回転機構、伸縮機構等により鏡の位置を変えることができる装置にして後頭部、側頭、上頭等を見ることができるが、移動範囲が広いために装置が大きくなる。【０００７】  鏡が任意の場所に移動するのに、水平旋回、上下回転等の動きを個別に行なう機構では動作エリアが大きくて使い勝手が悪い。【０００８】  装置先端部の鏡を保持する部分に回転、移動装置等を設けると先端荷重が増えてモーメントが大きくなり、壁側に固定する部分の保持荷重が大となる。
また、装置先端部の回転、移動だけでは後頭部及び頭頂部を見るための移動量としては不足する。
壁側端部にも水平旋回、上下回転部品が必要となるが、大きな荷重を保持しながら人手で容易に動く様にするための機構が複雑となる。【０００９】  従来の鏡は平面鏡であり、後頭部、あるいは頭頂部等の一部しか見られない。
後頭部、あるいは頭頂部を含んだ全体を見るためには後方にかなり移動した場所に鏡がないと見られない。
そのため装置が巨大化、複雑になり実現が困難である。【０００１０】  この発明は、上記課題を解決するためになされたもので、コンパクト機構の主鏡と補助鏡の組み合わせにより後頭部あるいは頭頂部及びそれを含む全体等の任意の部分を見ることができるコンパクト便利な二面鏡を提供することである。
【課題を解決するための手段】
【００１１】  本発明に係わる便利鏡は請求項１に記載のように、
端部が固定された主鏡と、端部が固定され、または端部が移動可能な連結具に支持され、前記連結具の伸縮回転により位置を変えることができる補助鏡と、からなる二面鏡であって、前記補助鏡は、凸面鏡を利用して、自己の目配りが届かぬ体部の映像を主鏡と、前記主鏡と相対する補助鏡との間の反射により見ることができる。【００１２】  また、請求項２に記載のように、前記補助鏡は、鏡の種類を交換できる機構を有する。【００１３】  また、請求項３に記載のように、前記補助鏡は、片面は平面鏡、反対の面は凸面鏡との合わせ鏡である。【００１４】  また、請求項４に記載のように、前記端部が移動可能な連結具は、端部に強力吸着盤を装備する。容易に補助鏡を取り付けられ、大きな保持力を持つ。【００１５】  また、請求項５に記載のように、前記補助鏡にプラスチック、アルミ材等の軽量材料を使用して先端荷重を軽減する。【００１６】  また、請求項６に記載のように、前記連結具は、フレキシブル主材、伸縮部材、調整アームから構成されている。【００１７】  また、請求項７に記載のように、前記連結具は、ユニバーサルジョイント付主材、伸縮部材が連結されている構造である。【００１８】  また、請求項８に記載のように、前記連結具は、フレキシブル材である。
【発明の効果】
【００１９】  請求項１による発明の効果を説明する。
二面鏡は主鏡と補助鏡で構成され、伸縮回転自在の連結具で位置を変えることができる補助鏡を任意の位置に動かすことができるので、主鏡に補助鏡から反射された任意の位置を映し出すことができる。
補助鏡は片手で容易に操作できるので後頭部の項もかみそりで剃る事ができ、従来見えない部分の髪の手入れも確認しながらお洒落ができる。
主鏡を回転等できる様な機構にしてやると、主鏡と補助鏡の位置変更の組み合わせにより必要な映像を楽に得ることができる。
従来の三面鏡では見られない映像が容易に見られる。【００２０】  洗面所、浴室に備え付けられた鏡のそばに、伸縮回転自在の連結具の端部を固定すると、その端部の反対端部に補助鏡を取り付けているので、補助鏡の位置を自由に変えることが出来、そして主鏡が該位置の反射部分を映し出すことができる。【００２１】  補助鏡に凸面鏡を使用することで広範囲の映像を主鏡で見る事ができる。
後頭部、あるいは頭頂部を含んだ全体を見るための装置がコンパクトになる。
後方にかなり移動した場所に鏡がないと見られない映像が見られる。
少ない補助鏡の移動により広い範囲がカバーできるので便利である。【００２２】  請求項２による発明の効果を説明する。
補助鏡は使用目的に応じて鏡を交換できる。
補助鏡に凸面鏡を使用すると映像は小さくなるが、広範囲の映像を補助鏡から主鏡に映し出せる。
補助鏡に平面鏡を使用すると範囲は狭くなるが映像の大きさは同じで、詳細な映像を補助鏡から主鏡に映し出せる。
補助鏡に凹面鏡を使用すると映し出せる範囲は狭いが部分映像が拡大して、肌の状態まで補助鏡から主鏡に映し出せる。【００２３】  請求項３による発明の効果を説明する。
前記補助鏡は、片面は平面鏡、反対の面は凸面鏡との合わせ鏡であるので、鏡の向きを変えることにより広範囲の映像や詳細の映像が見られる。
合わせ鏡は、片面は凸面鏡、反対の面は凹面鏡であっても良い。その場合は鏡の向きを変えることにより小さな映像と拡大した映像が見られる。
また、片面は平面鏡、反対の面は凹面鏡であっても良い。【００２４】  請求項４による発明の効果を説明する。
連結具の取り付け端部が吸着盤であるので、壁や主鏡の上面に容易に取り付けられる。
既設の改造が不要であり、取り付ける場合に傷めることがない。
また、取り外して別の場所の鏡のそばでも使用できる。【００２５】  連結具の取り付け端部は、連結具自体と補助鏡のモーメントが掛かる。
前記端部の保持力が弱いと連結具及び補助鏡等が落下する。
強力保持力を有する吸着盤により連結具および補助鏡等を保持できる。【００２６】  請求項５による発明の効果を説明する。
補助鏡に軽量材料を使用して先端荷重を軽減する。
先端荷重小さくなるのでモーメントが少なくなり構造部材が小さくなる。
大きな荷重を保持しながら人手で容易に動く様にするためには機構が複雑となるが、先端部の荷重が小さいので機構が簡単になる。【００２７】  請求項６による発明の効果を説明する。
連結具は、フレキシブル主材、多層の伸縮部材、調整アームにより構成されているコンパクト機構である。
フレキシブル主材は、任意の回転ができるので水平旋回、上下回転を同時に出来て、短い部材で立体的な動きを行ない使い勝手が良い。
また、伸縮部材は多層になっているので短い部材で長い距離をカバーできる。
伸縮部材を伸ばしながらフレキシブル主材により水平旋回、上下回転が同時に出来、広範囲の体部が見られる。
先端部の調整アームは軽量のフレキシブル構造で３次元的な動きをする。
先端荷重が少ないので壁側に固定する部分のモーメントが小である。
調整アームにより手元でも補助鏡の位置の微調整が容易にできる。
補助鏡の向きも手元で変えられる。【００２８】  請求項７による発明の効果を説明する。
連結具は、ユニバーサルジョイント付主材、伸縮部材が連結された非常にコンパクト機構である。
ユニバーサルジョイントは、ジョイント部によりあらゆる方向に回転ができるので短い部材で立体的な動きを行なう。
また、伸縮部材が多層になっているので短い部材で長い距離をカバーできる。
伸縮部材を伸ばしながらユニバーサルジョイントより水平旋回、上下回転ができ、広範囲の体部が見られる。
補助鏡との間に前記のフレキシブルの調整アームを入れると、手元でも補助鏡の位置の微調整が容易にできる。
補助鏡の向きも手元で変えられる。【００２９】  請求項８による発明の効果を説明する。
連結具は、フレキシブル材を使用しシンプル機構である。
補助鏡との間に前記のフレキシブルの調整アームを入れると、手元でも補助鏡の位置の微調整が容易にできる。
【発明を実施するための最良の形態】
【００３０】  発明を実施するための最良の形態について説明する。
【実施形態１】
【００３１】  図１は、コンパクト便利な二面鏡１００での通常使用時の外観説明図である。
主鏡４が柱２により台座１に固定されている。
補助鏡５はフレキシブルアーム７、伸縮パイプ６、フレキシブル主材３を介して台座１に固定されている。
【００３２】  フレキシブルアーム７だけを変化させることで補助鏡５があらゆる方向、位置に対して微調整ができる。
従来の三面鏡より色んな角度からの横顔を見る事ができる。
【００３３】  図２は、コンパクト便利な二面鏡１００での後頭部を見る場合の外観説明図である。
伸縮パイプ６を伸ばしながら、フレキシブル主材３のジョイント部分を利用して同時に左右に旋回、上下に回転させて補助鏡５の位置を移動させる。
また、フレキシブルアーム７により補助鏡５の位置を微調整する。
【００３４】  図３は、図２のＡ−Ａ方向における外観説明図である。
回転用穴８により主鏡４が上下方向に回転できる。
【００３５】  図４は、補助鏡５を交換するための鏡取り付けボルト１１の側面図である。
鏡取り付けボルト１１を緩めて補助鏡５を交換する。
【００３６】  図５は、補助鏡５としての片面は凸面鏡１２、反対の面は平面鏡１３との合わせ鏡の説明図である。
前記の鏡取り付けボルト１１を緩めて交換することもできる。
【００３７】  この様に実施例１では、
主鏡４は鏡の上下方向の角度を任意に変えることができる。
補助鏡５は独立して、伸縮パイプ６を伸縮させながら、フレキシブル主材３のジョイント部分の同時の水平旋回、上下回転等により任意の位置へ移動できる。
フレキシブルアーム７による微調整で鏡の位置と角度を任意に変えることができる。
【００３８】  補助鏡５、フレキシブルアーム７に軽量材料としてプラスチックを使用する。
先端部の荷重が小さいのでモーメントが少なくなり、構造が簡素化する。
【００３９】  鏡取り付けボルト１１を緩めて補助鏡５を交換することもできる。
片面は凸面鏡１２、反対の面は平面鏡１３との合わせ鏡を補助鏡５として使用すると、
鏡の向きを変えることにより凸面鏡１２で広範囲の映像、平面鏡１３で詳細の映像が見られる。
【００４０】  次に、本実施例１での後頭部を見る方法について説明する。
後頭部を見る場合、補助鏡５を後ろの左または右の斜めの位置に置けばよい。
【００４１】    補助鏡５に平面鏡を使用したら後頭部や頭頂部等の一部しか見られなかったが、凸面鏡を使用するとより広いエリアを見る事ができた。
そこで実施例１では補助鏡５に凸面鏡を使用した。
【００４２】    図６では、左後頭部を見るために補助鏡５を左斜めに位置させている。
図７では、主鏡４に映る左後頭部である。
【００４３】    図８では、右後頭部を見るために補助鏡５を右斜めに位置させている。
図９では、主鏡４に映る右後頭部である。
なお、頭に上方に補助鏡を位置させると頭頂部が見られる。
【実施形態２】
【００４４】  図１０は、壁に取り付けた二面鏡１００での後頭部を見る場合の外観説明図である。
吸着盤９によりフレキシブル主材３の端部が固定されている。
壁に設置された既設の主鏡４に対し、補助鏡５は独立して伸縮パイプ６を伸縮させながら、フレッキシブル主材３のジョイント部分の同時水平旋回、上下回転等により任意の位置へ移動できる。
フレキシブルアーム７による微調整で鏡の位置と角度を任意に変えることができる。
【００４５】  本実施例２での後頭部を見る方法については実施例１と同様である。
【実施形態３】
【００４６】  図１１は、連結具として、ユニバーサルジョイント付主材、伸縮部材が連結されている
二面鏡１００での通常使用時の外観説明図である。
主材１４の端部と台座１の取り合い部にユニバーサルジョイント１５が取り付けられている。
ユニバーサルジョイント１５で水平旋回、上下回転等の同時動作ができる。
補助鏡５は、伸縮パイプ６を伸縮させながら、ジョイント部分の同時の水平旋回、上下回転等により任意の位置へ移動できる。
【００４７】  本実施例３での後頭部を見る方法については実施例１と同様である。
【実施形態４】
【００４８】  図１２は、連結具として、フレキシブル主材３を使用した二面鏡１００での通常使用時の外観説明図である。
フレキシブル主材３で水平旋回、上下回転等の同時動作ができる。
ユニバーサルジョイント１５による微調整で鏡の位置と角度を任意に変えることができる。
【図面の簡単な説明】
【００４９】
【図１】  本発明の実施形態１における、二面鏡１００での通常使用時の外観説明図である。
【図２】  二面鏡１００での後頭部を見る場合の外観説明図である。
【図３】  図２のＡ−Ａ方向における外観説明図である。
【図４】  補助鏡５を交換するための鏡取り付けボルト１１の側面図である。
【図５】  片面は凸面鏡１２、反対の面は平面鏡１３との合わせ鏡の説明図である。
【図６】  左後頭部を見る補助鏡である。
【図７】  主鏡に映る左後頭部である。
【図８】  右後頭部を見る補助鏡である。
【図９】  主鏡に映る右後頭部である。
【図１０】  本発明の実施形態２における、壁に取り付けた二面鏡１００での後頭部を見る場合の外観説明図である。
【図１１】  本発明の実施形態３における、ユニバーサルジョイント付主材、伸縮部材が連結されている二面鏡１００での通常使用時の外観説明図である。
【図１２】  本発明の実施形態４における、フレキシブル主材３を使用した二面鏡１００での通常使用時の外観説明図である。
【符号の説明】
【００５０】  １        台座
２        柱
３        フレキシブル主材
４        主鏡
５        補助鏡
６        伸縮パイプ
７        フレキシブルアーム
８        回転用穴
９        吸着盤
１０      壁
１１      鏡取り付けボルト
１２      凸面鏡
１３      平面鏡
１４      主材
１５      ユニバーサルジョイント
１００      二面鏡
【図１】
2007195912.tif 000003
【図２】
2007195912.tif 000004
【図３】
2007195912.tif 000005
【図４】
2007195912.tif 000006
【図５】
2007195912.tif 000007
【図６】
2007195912.tif 000008
【図７】
2007195912.tif 000009
【図８】
2007195912.tif 000010
【図９】
2007195912.tif 000011
【図１０】
2007195912.tif 000012
【図１１】
2007195912.tif 000013
【図１２】
2007195912.tif 000014